【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
記録を行うための複数の記録素子と、
前記複数の記録素子それぞれに対応し、前記複数の記録素子を駆動する複数の第１の駆動素子と、
情報を格納するヒューズＲＯＭと、
前記ヒューズＲＯＭを駆動する第２の駆動素子と、
前記複数の記録素子により記録を行うための記録信号と前記複数の記録素子を時分割駆動するためのブロック選択信号とが入力される入力手段と、
前記入力手段により入力された記録信号とブロック選択信号とに基づいて、前記複数の第１の駆動素子を選択的に駆動する選択駆動手段と、
情報を書込むために前記ヒューズＲＯＭに第１の電圧を印加するための第１のパッドと、
前記ヒューズＲＯＭから前記情報を読出すために第２の電圧を印加するための第２のパッドとを有し、
前記第２の駆動素子を選択駆動して前記ヒューズＲＯＭを動作させるために、前記第２の駆動素子は前記選択駆動手段に接続され、前記入力手段から入力される信号に基づいて前記ヒューズＲＯＭが選択的に動作することを特徴とするヘッド基板。
【請求項２】
前記入力手段は、
記録信号がシリアル入力されるシフトレジスタと、
前記シフトレジスタに入力された記録信号をラッチするラッチ回路とを有することを特徴とする請求項１に記載のヘッド基板。
【請求項３】
前記選択駆動手段は、
前記ラッチ回路からの出力信号の一部である前記ブロック選択信号が入力され、前記複数の記録素子を時分割駆動するための時分割選択信号を生成するデコーダ回路と、
前記時分割選択信号と前記ラッチ回路からの出力信号の一部である前記記録信号との論理積を演算するＡＮＤ回路を有することを特徴とする請求項２に記載のヘッド基板。
【請求項４】
前記複数の記録素子に印加する電圧と前記第１の電圧とは実質的に同じ電圧であることを特徴とする請求項１乃至３のいずれか１項に記載のヘッド基板。
【請求項５】
前記第１の駆動素子と前記第２の駆動素子とは実質的に同じ耐圧を有する駆動素子であることを特徴とする請求項４に記載のヘッド基板。
【請求項６】
前記入力手段と前記選択駆動手段を駆動させる電圧と前記第２の電圧とは実質的に同じ電圧であることを特徴とする請求項１乃至５のいずれか１項に記載のヘッド基板。
【請求項７】
前記入力手段には、前記ヒューズＲＯＭを動作させることを選択するヒューズＲＯＭ選択信号が入力されることを特徴とする請求項１乃至６のいずれか１項に記載のヘッド基板。
【請求項８】
前記ＡＮＤ回路には、さらに、前記複数の第１の駆動素子及び第２の駆動素子を駆動するためのイネーブル信号が入力されることを特徴とする請求項３に記載のヘッド基板。
【請求項９】
前記複数の第１の駆動素子を駆動するために備えられた前記ＡＮＤ回路には、さらに、イネーブル信号が入力されることを特徴とする請求項３に記載のヘッド基板。
【請求項１０】
前記第２の駆動素子を駆動するために備えられた前記ＡＮＤ回路には、さらに、前記ラッチ回路のラッチ動作を指示するラッチ信号が入力されることを特徴とする請求項９に記載のヘッド基板。
【請求項１１】
前記第１のパッドと前記第２のパッドとの間に接続される、前記ヒューズＲＯＭの抵抗値に対して十分に大きい抵抗値をもつ抵抗をさらに有することを特徴とする請求項１乃至１０のいずれか１項に記載のヘッド基板。
【請求項１２】
前記複数の記録素子は電気熱変換素子であり、
前記電気熱変換素子に通電することにより熱を発生し、該発生した熱を利用してインクを吐出させることにより記録を行うことを特徴とする請求項１乃至１１のいずれか１項に記載のヘッド基板。
【請求項１３】
前記インクを外部から導入するための矩形のインク供給口をさらに有し、
前記インク供給口に沿って、前記複数の記録素子及び前記複数の第１の駆動素子が配列され、
前記インク供給口に対して、前記配列された複数の記録素子の列より離れた位置に前記複数の第１の駆動素子が配列され、
前記配列された第１の駆動素子の列の、少なくともいずれかの端に前記第２の駆動素子が配置されることを特徴とする請求項１乃至１２のいずれか１項に記載のヘッド基板。
【請求項１４】
前記複数の記録素子及び前記複数の第１の駆動素子の列が、前記インク供給口の両側に配列されることを特徴とする請求項１３に記載のヘッド基板。
【請求項１５】
請求項１乃至１４のいずれか１項に記載のヘッド基板を用いた記録ヘッド。
【請求項１６】
請求項１５に記載の記録ヘッドと、該記録ヘッドに供給するためのインクを収容するインクタンクとを有したヘッドカートリッジ。
【請求項１７】
請求項１５に記載の記録ヘッド、或いは請求項１６に記載のヘッドカートリッジを用いて記録を行う記録装置。
【請求項１８】
前記ヒューズＲＯＭに情報を書込むために前記第１の電圧を前記第１のパッドに印加する書込み手段と、
前記ヒューズＲＯＭから情報を読出すために前記第２の電圧を前記第２のパッドに印加する読出し手段と、
ヒューズＲＯＭ選択信号を送信することにより、前記ヒューズＲＯＭへの情報の書込み或いは読出しと、通常の記録動作とを切り換える切換手段とをさらに有することを特徴とする請求項１７に記載の記録装置。
【請求項１９】
請求項１乃至１４のいずれか１項に記載のヘッド基板への情報入出力方法であって、
前記ヘッド基板にヒューズＲＯＭ選択信号を送信して、前記ヒューズＲＯＭに対する情報の入出力動作と、通常の記録動作とを切り換える切換工程と、
前記第１の電圧を前記第１のパッドに印加し、前記ヒューズＲＯＭに情報を書込む書込み工程と、
前記第２の電圧を前記第２のパッドに印加し、前記ヒューズＲＯＭから情報を読出す読出し工程とを有することを特徴とする情報入出力方法。
【手続補正２】
【補正対象書類名】明細書
【補正対象項目名】００２０
【補正方法】変更
【補正の内容】
【００２０】
即ち、記録を行うための複数の記録素子と、前記複数の記録素子それぞれに対応し、前記複数の記録素子を駆動する複数の第１の駆動素子と、情報を格納するヒューズＲＯＭと、前記ヒューズＲＯＭを駆動する第２の駆動素子と、前記複数の記録素子により記録を行うための記録信号と前記複数の記録素子を時分割駆動するためのブロック選択信号とが入力される入力手段と、前記入力手段により入力された記録信号とブロック選択信号とに基づいて、前記複数の第１の駆動素子を選択的に駆動する選択駆動手段と、情報を書込むために前記ヒューズＲＯＭに第１の電圧を印加するための第１のパッドと、前記ヒューズＲＯＭから前記情報を読出すために第２の電圧を印加するための第２のパッドとを有し、前記第２の駆動素子を選択駆動して前記ヒューズＲＯＭを動作させるために、前記第２の駆動素子は前記選択駆動手段に接続され、前記入力手段から入力される信号に基づいて前記ヒューズＲＯＭが選択的に動作することを特徴とする。
【手続補正３】
【補正対象書類名】明細書
【補正対象項目名】００２１
【補正方法】変更
【補正の内容】
【００２１】
ここで、前記入力手段は、記録信号がシリアル入力されるシフトレジスタと、前記シフトレジスタに入力された記録信号をラッチするラッチ回路とを有することが望ましく、一方、前記選択駆動手段は、前記ラッチ回路からの出力信号の一部である前記ブロック選択信号が入力され、前記複数の記録素子を時分割駆動するための時分割選択信号を生成するデコーダ回路と、前記時分割選択信号と前記ラッチ回路からの出力信号の一部である前記記録信号との論理積を演算するＡＮＤ回路を有することが望ましい。
【手続補正４】
【補正対象書類名】明細書
【補正対象項目名】００２４
【補正方法】変更
【補正の内容】
【００２４】
さて、ヘッド基板に備えられた回路の信頼性や安全性を高めるために、以下のような態様が考えられる。
（１）ＡＮＤ回路は、さらに、複数の第１の駆動素子及び第２の駆動素子に通電駆動するためのイネーブル信号を入力する構成を用いる。
（２）複数の第１の駆動素子を通電駆動するために備えられたＡＮＤ回路だけ、さらに、イネーブル信号を入力する構成を用いる。
（３）（２）の構成に加えて、第２の駆動素子を駆動するために備えられたＡＮＤ回路は、さらに、ラッチ回路のラッチ動作を指示するラッチ信号を入力する構成を用いる。
【手続補正５】
【補正対象書類名】明細書
【補正対象項目名】００２５
【補正方法】変更
【補正の内容】
【００２５】
さらに、ヒューズＲＯＭが切断されていない場合にローレベル（Ｌ）出力がでるように第１のパッドと第２のパッドとの間に接続される抵抗には、ヒューズＲＯＭの抵抗値に対して十分に大きい抵抗値をもつようにする。
【手続補正６】
【補正対象書類名】明細書
【補正対象項目名】００２６
【補正方法】変更
【補正の内容】
【００２６】
上記のヘッド基板において、複数の記録素子は電気熱変換素子であり、その電気熱変換素子に通電することにより熱を発生し、その発生した熱を利用してインクを吐出させることにより記録を行うように構成することが望ましく、この場合、さらに、そのインクを外部から導入するための矩形のインク供給口を備えることが望ましい。そして、このような構成において、そのインク供給口に沿って、複数の記録素子及び前記複数の第１の駆動素子が配列され、前記インク供給口に対して、その配列された複数の記録素子の列より離れた位置に前記複数の第１の駆動素子が配列され、その配列された第１の駆動素子の列の、少なくともいずれかの端に第２の駆動素子が配置されるようにレイアウト構成がなされることが望ましい。また、前記複数の記録素子及び前記複数の第１の駆動素子の列が、前記インク供給口の両側に配列されることが望ましい。
【手続補正７】
【補正対象書類名】明細書
【補正対象項目名】００２８
【補正方法】変更
【補正の内容】
【００２８】
さらに他の発明によれば、上記記録ヘッドと、その記録ヘッドに供給するためのインクを収容するインクタンクとを有したヘッドカートリッジを備える。
【手続補正８】
【補正対象書類名】明細書
【補正対象項目名】００３０
【補正方法】変更
【補正の内容】
【００３０】
そして、その記録装置には、前記ヒューズＲＯＭに情報を書込むために前記第１の電圧を前記第１のパッドに印加する書込み手段と、前記ヒューズＲＯＭから情報を読出すために前記第２の電圧を前記第２のパッドに印加する読出し手段と、ヒューズＲＯＭ選択信号を送信することにより、前記ヒューズＲＯＭへの情報の書込み或いは読出しと、通常の記録動作とを切り換える切換手段とを備えると良い。
【手続補正９】
【補正対象書類名】明細書
【補正対象項目名】００３１
【補正方法】変更
【補正の内容】
【００３１】
またさらに他の発明によれば、上記構成のヘッド基板への情報入出力方法であって、前記ヘッド基板にヒューズＲＯＭ選択信号を送信して、前記ヒューズＲＯＭに対する情報の入出力動作と、通常の記録動作とを切り換える切換工程と、前記第１の電圧を前記第１のパッドに印加し、前記ヒューズＲＯＭに情報を書込む書込み工程と、前記第２の電圧を前記第２のパッドに印加して、前記ヒューズＲＯＭから情報を読出す読出し工程とを有することを特徴とする情報入出力方法を備える。